(57)【要約】【課題】  ソール自体に特別な構造を必要とすることなく、インソールのみでクッション性と安定性とが得られる上に、足当たりも良いインソールを提供する。【解決手段】インソール本体と緩衝構造体と板状部材とからなるインソールであって、インソール本体は凹状部を有し、緩衝構造体が凹状部内に配置されており、緩衝構造体の上面には板状部材が配置されていることを特徴とするインソール。凹状部は上面に開口していても下面に開口していても良い。また、板状部材がシャンクとして延長されていても良い。また、凹状部の開口端には押さえ部材を配置しても良い。【選択図】図１
2005270270.tif 000002
【特許請求の範囲】
【請求項１】
インソール本体と緩衝構造体と板状部材とからなるインソールであって、前記インソール本体は凹状部を有し、前記緩衝構造体が前記凹状部内に配置されており、前記緩衝構造体の上面には板状部材が配置されていることを特徴とするインソール。
【請求項２】
請求項１において、
前記凹状部が上面に開口している
ことを特徴とするインソール。
【請求項３】
請求項１において、
前記凹状部が下面に開口している
ことを特徴とするインソール。
【請求項４】
請求項３において、
前記板状部材が前記インソール本体と一体として構成されている
ことを特徴とするインソール。
【請求項５】
請求項１ないし４のいずれかにおいて、
前記凹状部の開口端を覆い、かつ、前記インソール本体表面に延設され、かつ、前記インソール本体表面への着脱手段を有する押さえ部材を有する
ことを特徴とするインソール。
【請求項６】
請求項１ないし５のいずれかにおいて、
前記凹状部が踵部に配置されている
ことを特徴とするインソール。
【請求項７】
請求項１ないし５のいずれかにおいて、
前記凹状部が踏付部に配置されている
ことを特徴とするインソール。
【請求項８】
請求項６において、
前記板状部材が踵部から中足部まで延長されている
ことを特徴とするインソール。
【請求項９】
請求項７において、
前記板状部材が前足部から中足部まで延長されている
ことを特徴とするインソール。
【請求項１０】
請求項１ないし９のいずれかにおいて、
前記インソール本体の上面に布帛が貼り付けられていること
ことを特徴とするインソール。
【請求項１１】
請求項１０において、
前記布帛の踵部が楕円形状の孔を有している
ことを特徴とするインソール。
【請求項１２】
請求項１０において、
前記布帛の踵部が複数の孔を有している
ことを特徴とするインソール。
【発明の詳細な説明】
【技術分野】
【０００１】
本発明は、クッション性と安定性に優れたインソールに関する。
【背景技術】
【０００２】
従来から、シューズのクッション性と安定性とを実現するために、様々な構造が実施されている。
【０００３】
例えば、特開平１１−２０３には、ミッドソール内に波型シートが介在したソール構造が開示されている。
【特許文献１】特開平１１−２０３号公報
【０００４】
また、特開平１１−２３５２０２には樹脂からなる複数の帯状波形シートが並設されるとともに、前記各帯状波形シートが連結部を介して互いに連結されていることを特徴とする緩衝構造体について、開示されている。
【特許文献２】特開平１１−２３５２０２号公報
【発明の開示】
【発明が解決しようとする課題】
【０００５】
しかし、特開平１１−２０３号公報に開示されるソール構造は、クッション性と走行安定性とは得られるものの、波型シートをミッドソール内に内装させる必要があるため、ミッドソールを２層構造にしてその間に波型シートを挿入した上でそれぞれの部品を貼り合わせる等の複雑な工程が必要であり、また一般に重量が重く、金型コストも余分にかかることにより、コスト高になるという問題がある。
【０００６】
また、特開平１１−２３５２０２に開示される緩衝構造体は、単体ではクッション性および安定性に優れているものの、単にシューズ内に挿入するだけでは、波形状を足に感じてしまうので、足当たりが悪くなるという問題がある。
【０００７】
本発明は、前記従来の問題を解決するため、ソール自体に特別な構造を必要とすることなく、インソールのみでクッション性と安定性とが得られる上に、足当たりも良いインソールを提供することを目的とする。本発明の他の目的は、インソールを取替える事で、どのようなシューズにおいてもインソールのみでクッション性と安定性とが得られるインソールを提供することにある。
【課題を解決するための手段】
【０００８】
前記目的を達成するため、請求項１に記載の発明は、インソール本体と緩衝構造体と板状部材とからなるインソールであって、前記インソール本体は凹状部を有し、前記緩衝構造体が前記凹状部内に配置されており、前記緩衝構造体の上面には板状部材が配置されていることを特徴とするインソールに関するものである。
【０００９】
請求項２に記載の発明は、請求項１において、前記凹状部が上面に開口していることを特徴とするインソールに関するものである。
【００１０】
請求項３に記載の発明は、請求項１において、前記凹状部が下面に開口していることを特徴とするインソールに関するものである。
【００１１】
請求項４に記載の発明は、請求項３において、前記板状部材が前記インソール本体と一体として構成されていることを特徴とするインソール。に関するものである。
【００１２】
請求項５に記載の発明は、請求項１ないし４のいずれかにおいて、前記凹状部の開口端を覆い、かつ、前記インソール本体表面に延設され、かつ、前記インソール本体表面への着脱手段を有する押さえ部材を有することを特徴とするインソールに関するものである。
【００１３】
請求項６に記載の発明は、請求項１ないし５のいずれかにおいて、前記凹状部が踵部に配置されていることを特徴とするインソールに関するものである。
【００１４】
請求項７に記載の発明は、請求項１ないし５のいずれかにおいて、前記凹状部が踏付部に配置されていることを特徴とするインソールに関するものである。
【００１５】
請求項８に記載の発明は、請求項６において、前記板状部材が踵部から中足部まで延長されていることを特徴とするインソールに関するものである。
【００１６】
請求項９に記載の発明は、請求項７において、前記板状部材が前足部から中足部まで延長されていることを特徴とするインソールに関するものである。
【００１７】
請求項１０に記載の発明は、請求項１ないし９のいずれかにおいて、前記インソール本体の上面に布帛が貼り付けられていることことを特徴とするインソールに関するものである。
【００１８】
請求項１１に記載の発明は、請求項１０において、前記布帛の踵部が楕円形状の孔を有していることを特徴とするインソールに関するものである。
【００１９】
請求項１２に記載の発明は、請求項１０において、前記布帛の踵部が複数の孔を有していることを特徴とするインソールに関するものである。
【発明の効果】
【００２０】
本発明は、ソール自体に特別な構造を必要とすることなく、インソールのみでクッション性と安定性とが得られる上に足当たりも良いインソールを提供できる。
また、インソールを取替える事で、どのようなシューズに装着した場合でも、インソールのみでクッション性と安定性とが得られるという特徴を有する。
【発明を実施するための最良の形態】
【００２１】
以下、本発明の実施態様を添付図面に基づいて説明する。
【００２２】
図１は本発明の一実施態様によるインソールを上面から見た平面図であり、図２は図１のＡ−Ａ断面における断面図である。
なお、本明細書中では、足に近い側を「上」と呼称し、これとは逆に接地面側を「下」と呼称することにする。
【００２３】
図１および図２に示す様に、本発明のインソール３は、インソール本体３１と凹状部３２と緩衝構造体３３と板状部材３４とから構成されている。
【００２４】
インソール本体３１を構成する材料としては、発泡体が適している。具体的には、エチレン−酢酸ビニル共重合体（ＥＶＡ）等の熱可塑性合成樹脂の発泡体やポリウレタン（ＰＵ）等の熱硬化性樹脂の発泡体、ブタジエンラバーやクロロプレンラバー等のラバー素材の発泡体、あるいはラバーまたはエラストマー（たとえばＰＡＥ）などのような、クッション性を有する素材で構成すると良い。
【００２５】
インソール本体３１には片側に開口する凹状部３２が設けられている。
凹状部３２の形状は緩衝構造体３３が収納できる形状であれば良い。
また、凹状部３２の深さＤは緩衝構造体３３の厚みＤ１と板状部材の厚みＤ２とを加えた深さ以上であれば良い。
【００２６】
図３は緩衝構造体３３の斜視図である。
図３に示す様に、緩衝構造体３３は、樹脂からなる複数の帯状波形シートを並設するとともに、前記各帯状波形シートを連結部により互いに連結することによって構成されており、前記連結部は、隣り合う前記各帯状波形シートの間に配置されている。また前記連結部は、隣り合う前記各帯状波形シートの間に配置された第１の連結部と、前記各帯状波形シートの各波形状の始端側端部および終端側端部の少なくともいずれか一方に配置された第２の連結部とから構成されている。
緩衝構造体３３はその厚みが薄い場合でも、十分にクッション性および安定性を発揮するので、シューズソールに比べて厚みが薄いインソールにおいても、凹状部３２内に緩衝構造体３３を設けることによって、クッション性、安定性を得ることが出来る。
【００２７】
緩衝構造体３３の上面には板状部材３４を設ける。板状部材３４はポリウレタンまたはナイロンなどの樹脂、あるいはラバーから構成されているが、ガラス繊維やカーボン繊維などを用いて強化された樹脂であるＦＲＰを採用するようにしてもよい。
板状部材を樹脂およびラバーで構成した場合、緩衝構造体３３の波形状を足に感じさせないようにすると言う点で、ＪＩＳ  Ｋ  ７２１５型のＤ硬度で３０以上が好ましい。また、足当たりの柔らかさという点では、７０以下が好ましい。なお、これら両者を加味した場合、５５程度がより好ましい。
また、緩衝構造体３２の波形状を足に感じさせないようにすると言う点で板状部材３４の厚みは、１ｍｍ以上が好ましい。また、インソールの軽量化という点では、板状部材３４の厚みは、３ｍｍ以下が好ましい
板状部材３４を設けることによって、荷重を板状部材３４の面全体で受けた後、緩衝構造体３３全体で受ける事が出来るので、より効果的にクッション性、安定性を得る事が出来る。また、緩衝構造体３３の波形を足に直接感じる事が無く、自然な足当たりを実現できる。
【００２８】
緩衝構造体３３と板状部材３４とは、接着等の手段でインソール本体３１に固着しても良い。この場合、インソール本体３１と緩衝構造体３３および板状部材３４とが、一体になった状態で、インソール３をシューズ１内に出し入れすることが出来るので、シューズ１への装着が容易になる。
また、緩衝構造体３３と板状部材３４は、インソール本体３１に固着しなくても良い。この場合、着用するシューズや種目等に応じて板状部材３４や緩衝構造体３３を変える事が出来、クッション性や安定性のより細やかな調整が出来るようになる。
【００２９】
図１および図２に示す様に、凹状部３２は上面に開口していても良い。この場合、板状部材３４は緩衝構造体３３の上面に配置される。
凹状部３２を上面に開口することによって、シューズへの装着時に緩衝構造体３３及び板状部材３４が落ちる事が無く、装着が容易になる。
【００３０】
また、図２に示すように、板状部材３４の上面とインソール本体３１の上面を同一面となるようにしてもよい。
この場合、板状部材３４とインソール本体３１の境界を足に感じることなく、自然な足当たりを実現できる。
【００３１】
図４は本発明の第二の実施態様によるインソールを上面から見た平面図であり、図５は図４のＡ−Ａ断面における断面図である。
図４に示す様に、凹状部３２は下面に開口していても良い。この場合にも、板状部材３４は緩衝構造体３３の上面に配置される。
凹状部３２を下面に開口することによって、緩衝構造体３３とインソール本体３１との境界を感じにくく、より自然な足当たりとなる。
【００３２】
また、緩衝構造体３３の下面とインソール本体３１の下面を同一面となるようにしてもよい。この場合、緩衝構造体３３とインソール本体３１の境界を足に感じることなく、より自然な足当たりを実現できる。
【００３３】
図６は本発明の第三の実施態様によるインソールを上面から見た平面図であり、図７は図６のＡ−Ａ断面における断面図である。
図６に示す様に、板状部材３４とインソール本体３１とを一体として構成してもよい。
【００３４】
板状部材３４とインソール本体３１とを一体として構成する場合、板状部材３４を構成する材料とインソール本体３１を構成する材料とを、金型内の所定の位置に配置した状態で圧縮成形を行う事によって、インソール形状への成形と貼り付けとを同時に行うことが出来る。
また、インソール本体３１の材料において、圧縮成形後に板状部材３４部分の圧縮率が高くなるように成形前の材料の厚みを調整することによって、板状部材３４部分のみの硬度を高くするという方法でも良い。
いずれの場合にも、インソール本体３１と板状部材３４とを別々に製造する必要がなくなるので、製造工程が簡略化されるというメリットがある。
【００３５】
図８は本発明の第四の実施態様によるインソールを下面から見た平面図であり、図９は図８のＡ−Ａ断面における断面図である。
図８に示す様に、凹状部３２の開口端３８を覆い、かつ、インソール本体３１表面に延設され、かつ、インソール本体３１表面への着脱手段を有する押さえ部材３７を設けても良い。
着脱手段としては、具体的には、押さえ部材３７の表面とインソール本体３１の表面とに面ファスナー５等を設けると良い。
凹状部３２の開口端３８を覆い、かつ、インソール本体３１表面に延設され、かつ、インソール本体３１表面への着脱手段を有する押さえ部材３７を設けることによって、インソール３をシューズ１内に出し入れする時等に、板状部材３４および緩衝構造体３３がインソール本体３１からこぼれ落ちることを防止する事が出来る。
また、緩衝構造体３３と板状部材３４をインソール本体３４に固着する必要がなくなるので、使用場面等に応じて、緩衝構造体３３のみを交換する事が出来る。
なお、図示はしないが、凹状部３２が上面に開口している場合も、同様に押さえ部材３７を設けると良い。
【００３６】
図１および図２に示す様に、凹状部３２を踵部に配置しても良い。
凹状部３２を踵部に配置することによって、着地時の衝撃を緩和すると同時に安定性を得ることが出来る。
【００３７】
図１０は本発明の第五の実施態様によるインソールを上面から見た平面図であり、図１１は図１０のＡ−Ａ断面における断面図である。
図１０に示す様に、凹状部３２を踏付部に配置しても良い。
凹状部３２を踏付部に配置することによって、着地時の衝撃を緩和すると同時に安定性を得ることが出来る。
また、この場合、緩衝構造体３３はその波形状が足の屈曲方向に直交する向きに配置すると良い。このように配置する事によって、屈曲性が向上する。
【００３８】
図１２は本発明の第六の実施態様によるインソールを下面から見た平面図であり、図１３は図１２のＡ−Ａ断面における断面図である。
図１２に示す様に、板状部材３４が踵部から中足部まで延長されていても良い。
板状部材３４を踵部から中足部まで延長する事によって、板状部材３４が不踏部の落ち込みを防止し、シャンク効果を得ることができる。
なお、図示はしないが、凹状部３２がインソール本体３１の上面に開口する場合でも、同じ効果が得られる。
【００３９】
図１４は本発明の第七の実施態様によるインソールを下面から見た平面図であり、図１５は図１４のＡ−Ａ断面における断面図である。
図１４に示す様に、板状部材３４が前足部から中足部まで延長されていても良い。
板状部材３４を前足部から中足部まで延長する事によって、板状部材３４が不踏部の落ち込みを防止し、シャンク効果を得ることができる。
また、図１６は本発明の第八の実施態様によるインソールを下面から見た平面図であり、図１７は図１６のＡ−Ａ断面における断面図である。
図１６に示す様に、凹状部３２がインソール本体３１の上面に開口する場合でも、同じ効果が得られる。
【００４０】
図１８は本発明の第九の実施態様によるインソールを上面から見た平面図であり、図１９は図１８のＡ−Ａ断面における断面図である。
図１８に示す様に、インソール本体３１の上面に布帛３５を設けても良い。
インソール本体３１の上面に布帛３５を設けることによって、より足当たりが良くなる。
また、凹状部３２がインソール本体３１の上面に開口する場合、布帛３５が板状部材３４の上面とインソール本体３１の上面との境界を覆うため、より足当たりが良くなる。
【００４１】
図２０は本発明の第十の実施態様によるインソールを上面から見た踵部分の平面図であり、図２１は図２０のＡ−Ａ断面における断面図である。
図２０に示す様に、布帛３５の踵部が楕円形状の孔３６を有していても良い。
布帛３５の踵部が楕円形状の孔３６を有している事によって、着用した際に、孔３６以外の部分は布帛と接触するので足当たりが良く、かつ、孔３６ではクッション性および安定性を直接感じる事が出来るという効果が得られる。
また、この場合、板状部材３４を透明な材料にすることによって、孔３６を介して緩衝構造体３３が見え、緩衝構造体３３の取替え時期が分かる等の視覚的な効果も得られる。
【００４２】
図２２は本発明の第十一の実施態様によるインソールを上面から見た踵部分の平面図であり、図２３は図２２のＡ−Ａ断面における断面図である。
図２２に示す様に、布帛３５の踵部が複数の孔３６を有していても良い。
布帛３５が踵部に複数の孔３６を有している事によって、着用した際に、孔３６が引っかかるため、足が滑りにくいという効果が得られる。また、この場合、板状部材３４を透明な材料とすることによって、孔３６を介して緩衝構造体３３が見え、視覚的な効果も得られる。
【産業上の利用可能性】
【００４３】
本インソールの活用例としては、陸上、ランニング、サッカーの競技用のスポーツ用シューズに挿入しての使用は元より、ウォーキングや紳士シューズ、婦人靴等の歩行のみを目的としたシューズでの使用においても好適である。
【図面の簡単な説明】
【００４４】
【図１】本発明の一実施態様によるインソール３を上面から見た平面図である。
【図２】図１のＡ−Ａ断面における断面図である。
【図３】緩衝構造体３３の斜視図である。
【図４】本発明の第二の実施態様によるインソール３を上面から見た平面図である。
【図５】図４のＡ−Ａ断面における断面図である。
【図６】本発明の第三の実施態様によるインソール３を上面から見た平面図である。
【図７】図６のＡ−Ａ断面における断面図である。
【図８】本発明の第四の実施態様によるインソール３を下面から見た平面図である。
【図９】図８のＡ−Ａ断面における断面図である。
【図１０】本発明の第五の実施態様によるインソール３を上面から見た平面図である。
【図１１】図１０のＡ−Ａ断面における断面図である。
【図１２】本発明の第六の実施態様によるインソール３を下面から見た平面図である。
【図１３】図１２のＡ−Ａ断面における断面図である。
【図１４】本発明の第七の実施態様によるインソール３を下面から見た平面図である。
【図１５】図１４のＡ−Ａ断面における断面図である。
【図１６】本発明の第八の実施態様によるインソール３を下面から見た平面図である。
【図１７】図１６のＡ−Ａ断面における断面図である。
【図１８】本発明の第九の実施態様によるインソール３を上面から見た平面図である。
【図１９】図１８のＡ−Ａ断面における断面図である。
【図２０】本発明の第十の実施態様によるインソール３を上面から見た踵部分の平面図である。
【図２１】図２０のＡ−Ａ断面における断面図である。
【図２２】本発明の第十一の実施態様によるインソール３を上面から見た踵部分の平面図である。
【図２３】図２２のＡ−Ａ断面における断面図である。
【符号の説明】
【００４５】
１    シューズ
２    中底
３    インソール
３１  インソール本体
３２  凹状部
３３  緩衝構造体
３４  板状部材
３５  布帛
３６  孔
３７  押さえ部材
３８  開口端
４    ソール
５    面ファスナー
Ｄ    凹状部３２の深さ
Ｄ１  緩衝構造体３３の厚み
Ｄ２  板状部材の厚み
【図１】
2005270270.tif 000003
【図２】
2005270270.tif 000004
【図３】
2005270270.tif 000005
【図４】
2005270270.tif 000006
【図５】
2005270270.tif 000007
【図６】
2005270270.tif 000008
【図７】
2005270270.tif 000009
【図８】
2005270270.tif 000010
【図９】
2005270270.tif 000011
【図１０】
2005270270.tif 000012
【図１１】
2005270270.tif 000013
【図１２】
2005270270.tif 000014
【図１３】
2005270270.tif 000015
【図１４】
2005270270.tif 000016
【図１５】
2005270270.tif 000017
【図１６】
2005270270.tif 000018
【図１７】
2005270270.tif 000019
【図１８】
2005270270.tif 000020
【図１９】
2005270270.tif 000021
【図２０】
2005270270.tif 000022
【図２１】
2005270270.tif 000023
【図２２】
2005270270.tif 000024
【図２３】
2005270270.tif 000025